(57)【要約】【課題】反射片は表面に夜光塗料などを塗布し、その表面に文字や図形などを印刷して夕暮時や暗闇の中でも学童の安全性を保持しながら、商品イメージをアピールできる。【解決手段】背負帯（１８）を有した背板（１３）とその前側に位置する中板（１５）との間の底部（１４）および両大マチ部（１６，１６）を夫々底板および両側面板で連結して上方を開口した収容部（１２）を有するランドセル本体（１１）と、前記背板（１３）の上端に基端部を縫着した被い蓋（２９）とからなるランドセル（１０）において、表面に夜光塗料を塗布した反射夜光シート（７０）を補強芯（７５）の表面に接着し、該反射夜光シートの表面に文字や図形など（７３）を印刷してなる反射片（７０，７０ａ）をランドセルの大マチ部（１６）や被い蓋（２９）の表面に取付けてある。【選択図】　図６
0003099133.tif 000002
【実用新案登録請求の範囲】
【請求項１】
背負帯（１８）を有した背板（１３）とその前側に位置する中板（１５）との間の底部（１４）および両大マチ部（１６，１６）を夫々底板および両側面板で連結して上方を開口した収容部（１２）を有するランドセル本体（１１）と、前記背板（１３）の上端に基端部を縫着した被い蓋（２９）とからなるランドセル（１０）において、
表地（３２）の略中央部長手方向に設けた窓部（３３）の下側に平坦部（３４）を形成し、前記窓部（３３）と同形に形成した凸部（３７）を有する芯地（３６）の表面に反射シート（３８）を接着して前記表地の窓部（３３）に裏側から合致させて一体的に縫着して設けた反射片（３１）を前記大マチ部に取り付けてなることを特徴とするランドセル。
【請求項２】
背負帯（１８）を有した背板（１３）とその前側に位置する中板（１５）との間の底部（１４）および両大マチ部（１６，１６）を夫々底板および両側面板で連結して上方を開口した収容部（１２）を有するランドセル本体（１１）と、前記背板（１３）の上端に基端部を縫着した被い蓋（２９）とからなるランドセル（１０）において、
芯地（３６）の表面略中央部長手方向に前記表地（３２）の窓部（３３）と略同形をした凸部（３７）を一体又は別体に設け、該芯地の表面全体または凸部の表面を反射シート（３８）で覆ってなる凸部（３７ａ）を前記表地の窓部（３３）に裏側から係合し、該芯地の凸部表面と表地（３２）の表面とを略同一面になるように形成した反射片（３１）を前記大マチ部（１６）に縫着してなることを特徴とするランドセル。
【請求項３】
背負帯（１８）を有した背板（１３）とその前側に位置する中板（１５）との間の底部（１４）および両大マチ部（１６，１６）を夫々底板および両側面板で連結して上方を開口した収容部（１２）を有するランドセル本体（１１）と、前記背板（１３）の上端に基端部を縫着した被い蓋（２９）とからなるランドセル（１０）において、
表面に夜光塗料を塗布した反射夜光シート（７０）を補強芯（７５）の表面に接着し、該反射夜光シートの表面に文字・図形等（７３）を印刷してなる反射片（７０，７０ａ）をランドセルの大マチ部（１６）や被い蓋（２９）の表面に取付けてなることを特徴とするランドセル。
【考案の詳細な説明】
【０００１】
【考案の属する技術分野】
本考案は、反射テープの反射光を利用し、暗闇の中でも商品イメージをアピールすると共に、交通事故から学童を守る安全性を有するランドセルの改良に関するものである。
【０００２】
【従来の技術】
従来、ランドセルを背負って登下校する学童を交通事故から守るため、ランドセルの側面部分や被せ蓋の表面に、自動車や自転車のライトに反射する反射材が取付けられたものが複数存在している。特に、冬季は日が暮れるのが早いため薄暗くなってから下校することが多く、薄暗くなる時間帯は自動車を運転する運転者にとっても非常に歩行者が見えにくいことから、ランドセルに取付ける反射材はできるだけ大きいものが望ましい。
【０００３】
反射材は、テープ状又は布製の薄い部材で形成して表面が反射機能を有し、裏面には必要に応じて接着面を設けたものが使用されており、該反射材の接着面がランドセルの側面部分や被い蓋の表面部分に貼付けて使用されている。しかし、これらの反射材は経年変化によって粘着力が劣化して剥がれたり、子供のいたずらなどで剥がされてしまうことが多く、長期間使用することは困難であった。
【０００４】
そこで、図９に示すごとく、ランドセル５０の主収容部５１の前側に設けた小さな第２の収容部５２や第３の収容部５３を締付けてランドセルの型崩れ防止用に取付ける締付けバンド５５の表面部分に、ランドセルの側面マチ部５４に位置させて該締付けバンドの表面部分に反射板５６を縫着して取付けたものが知られている（例えば、特許文献１参照）。
【０００５】
【特許文献１】
実用第３０１０３１３号公報（図１）
【０００６】
さらに、図１０，１１図に示すように、ランドセルの側面マチ部分に位置する他の締付けバンド６０に取付けた反射板５６ａが剥がれるのを防止するため、帯状の芯部材６１と表地６５との間に反射板５６ａを挟んで縫着し、該表地６５に適宜形状をした開口部６６を一定又は任意間隔ごとに複数設けてある。また、表地６５の上下両端を切り欠いて設けた切欠部６７から背景に位置する反射板５６ａを露出させるように形成したものが知られている（例えば、特許文献２参照）。
【０００７】
【特許文献２】
実用第３０７０３８９号公報（図５）
【０００８】
【考案が解決しようとする課題】
前述のように、ランドセルの側面マチ部５４に配設された締付けバンド５５、６０に取付けられた反射板５６，５６ａは、該締付けバンドの幅が狭いこと、表地６５に設けた開口部６６または切欠部６７から露出する反射板の露出面積が少なくて目立たないなどの問題点を有していた。
【０００９】
また、ランドセルの側面マチ部５４に位置する反射板５６，５６ａは、締付けバンド５５，６０に縫着してあり、該締付けバンドは第２の収容部５３の前面部分まで長く形成してあるため、高価な反射板の使用量が多くなってコストが上昇するという欠点があった。その上、締付けバンドの巾が略一定に定まっているため、該締付けバンドの製作時に反射板も同時に縫着するので、該締付けバンドに装着する反射板をデザイン的に多様に変化させることが困難であった。
【００１０】
そこで本考案は、締付けバンドと別体にしてランドセルの大マチ部に取付けることにより、反射材のデザインを多岐に変化できるようにし、また、反射材は表面に夜光塗料などを塗布し、その表面に文字や図形などを印刷して夕暮時や暗闇の中でも学童の安全性を保持しながら、商品イメージをアピールするランドセルを提供することを目的とする。
【００１１】
【課題を解決するための手段】
上記課題を解決するための手段として、請求項１の考案は、背負帯１８を有した背板１３とその前側に位置する中板１５との間の底部１４および両大マチ部１６，１６を夫々底板および両側面板で連結して上方を開口した収容部１２を有するランドセル本体１１と、前記背板１３の上端に基端部を縫着した被い蓋２９とからなるランドセル１０において、方形をした表地３２の略中央部長手方向に設けた窓部３３の下側に平坦部３４を形成し、前記窓部３３と同形に形成した凸部３７を有する芯地３６の表面に反射シート３８を接着して前記表地の窓部３３に裏側から合致させて一体的に縫着して設けた反射片３１を前記大マチ部に取付けてなることを特徴とする。
【００１２】
請求項２の考案は、背負帯１８を有した背板１３とその前側に位置する中板１５との間の底部１４および両大マチ部１６，１６を夫々底板および両側面板で連結して上方を開口した収容部１２を有するランドセル本体１１と、前記背板１３の上端に基端部を縫着した被い蓋２９とからなるランドセル１０において、芯地３６の表面略中央部長手方向に前記表地３２の窓部３３と略同形をした凸部３７を一体又は別体に設け、該芯地の表面全体または凸部の表面を反射シート３８で覆ってなる凸部３７ａを前記表地の窓部３３に裏側から係合し、該芯地の凸部表面と表地３２の表面とを略同一面になるように形成した反射片３１を前記大マチ部１６に縫着してなることを特徴とする。
【００１３】
請求項３の考案は、背負帯１８を有した背板１３とその前側に位置する中板１５との間の底部１４および両大マチ部１６，１６を夫々底板および両側面板で連結して上方を開口した収容部１２を有するランドセル本体１１と、前記背板１３の上端に基端部を縫着した被い蓋２９とからなるランドセル１０において、表面に夜光塗料を塗布した反射夜光シート７０を補強芯７５の表面に接着し、該反射夜光シートの表面に文字・図形等７３を印刷してなる反射片７０，７０ａをランドセルの大マチ部１６や被い蓋２９の表面に取付けてなることを特徴とする。
【００１４】
したがって、反射シートを表面に取付けた反射片のランドセルへの取付けが容易であると共に、反射部分が大きいので夕暮れ時や暗闇の中でも遠くから確認でき、下校時における児童の交通事故を未然に防止する安全性を有している。しかも、反射片の表面に夜光塗料を塗布した表面に文字・図形などを印刷することにより，安全性を維持しながら商品イメージを向上させることが出来る。
【００１５】
【考案の実施の形態】
本考案に係る実施の形態を図面に基づいて説明すると、図１はランドセルの被い蓋を開いて一部省略した状態の斜視図、図２は反射片を分離して一部破断した正面図、図３は反射片の正面図、図４は反射片の要部拡大断面図である。ランドセル１０は、皮革または合成皮革などで形成したランドセル本体１１と背板１３に設けた背負帯１８と被い蓋２９とで構成してある。
【００１６】
ランドセル本体１１は、教科書やノートや筆箱などを収納する収容部１２と、その他の学習用具などを入れる小さな第２の収容部２０と、該第２の収容部２０の前面に上部にジッパー２７を装着して開閉可能に形成した小物入部２５を設けてある。
【００１７】
収容部１２は、学童の背中に面して位置する背板１３と、その前方に位置する中板１５との間の底部および両大マチ部１６を、底板１４及び両側面板で連結して四方に壁面部を設け、上方に開口部を有してある。
【００１８】
背板１３は、不織布に合成樹脂材を含浸させて硬化したものや、ボール紙に合成樹脂材を含浸させて硬化したもの、或いは、合成樹脂板で形成した芯板（図示せず）を装着してある。芯板の背面側には、発泡性合成樹脂材で形成したクッション板（図示せず）と、皮革または合成皮革などからなる表地（図示せず）を接着して形成し、前記芯板の内側には合成繊維材などで形成した裏地（図示せず）を接着し、前記収容部１２の上縁部分を細巾の帯片１７で包み込んで縫着して補強し、この背板１３の背面側の上部中央に背負帯１８の上部を連結してある。
【００１９】
第２の収容部２０は、前記中板１５と前板２１との間を細巾の底板部と両側板部とを一体または別体からなる幅板２２で連結し、前記中板１５及び前板２１には、前記芯板と同様に不織布に合成樹脂材を含浸させて硬化させたものや、ボール紙に合成樹脂材を含浸させて硬化させたもの、あるいは、合成樹脂板などで形成した芯板（図示せず）の外側に皮革または合成皮革などからなる表地（図示せず）を接着し、芯板の内側に合成繊維材などで形成した裏地（図示せず）をそれぞれ接着してある。
【００２０】
小物入部２５は、表側に皮革または合成皮革などからなる表地と合成繊維材などで形成した裏地とを接着して袋状に形成し、上面部にジッパー２７を装着して開閉可能に形成し、前記背板１３の上端に基端部を縫着した被い蓋２９は、皮革または合成皮革などで形成した表地と裏地とを互いに縫着して形成してある。
【００２１】
図１〜４に示すように、反射片３１は、ランドセル本体１１の大マチ部１６の上方に取付けてあるが、締付けバンド５５とは別体に設けてあるので、その取付け位置はデザインに応じて調整可能である。皮革または合成皮革などでやや幅広に形成した表地３２の略中央部長手方向に横長の窓部３３を形成し、該窓部の下方にやや幅広の平坦部３４を設けてある。前記窓部３３は、縦５〜１５ｍｍ、好ましくは１０ｍｍ程度で、横方向は大マチ部の長さ、例えば、７０〜９０ｍｍ、好ましくは８０ｍｍ位の長さの方形に形成してある。芯地３６の略中央部長手方向に、前記表地３２に設けた窓部３３と略同形に形成した凸部３７を該芯地３６と一体または別体に設け、該凸部を有する芯地３６の表面全体若しくは凸部３７の表面部分を反射シート３８で覆って形成してある。
【００２２】
表面に反射シート３８を接着した芯地３６を表地３２の裏面に接合し、該表地３２の上下両端に設けた折返片３４ａ，３４ａを芯地３６の裏側に折り返して縫着して反射片３１を形成してある。表地３２と芯地３６は、前記縫着の他、接着剤を塗布して縫着しても良い。ランドセル１０への取付けは反射片３１の両側端を大マチ部１６の両側部分にそれぞれ縫着して取付けてある。この場合、締付けバンドとは別体であるので、該反射片３１の取り付け位置を上下に調整して取り付けることが出来る。
【００２３】
芯地３６は、表面を反射シート３８で覆われた凸部３７ａを前記表地３２の窓部３３に裏側から係合させ、該凸部３７ａの表面部分と表地３２の表面部分とを略同一面になるようにし、反射シート３８の反射面積を細長くして広い面積に形成してある。また、窓部３３に裏側から凸部３７ａを係合させたことにより窓部３３の内縁に段部ができるのを防止し、窓部３３の内縁に異物がひっかかって窓部３３が破れるのを防止している。
【００２４】
反射シート３８は、合成樹脂フィルムまたは布材などで形成し、表面に光再帰反射性を有する反射物質を塗布して任意大きさに切断可能に形成した公知のもので、例えば、日本カーバイト工業株式会社製の「ニッカライト」やユニチカスパークライト株式会社製の反射シート（ユニチカスパークライト♯９０１）などを使用しているがこれに限るものではない。
【００２５】
図５において、４１は前記反射片３１の変形例を示した第２の反射片で、該反射片３１と同様に皮革または合成皮革などで形成し、窓部４３と平坦部４４を有した表地４２と表面に反射シート３８を接着した芯地を裏面に組み合わせ、該表地４２の上下両端を芯地の裏側に折り返して縫着して形成してある。
【００２６】
表地４２の平坦部４４に、フック部４８を鋲４７で留めたり、糸で縫着したり、または、名札帯（図示せず）などを取付け可能に形成してある。前記フック部４８には、給食当番で使用するマスクやエプロンなどを収容した布袋（図示せず）やコップなどの吊下げが可能である。
【００２７】
図６〜８は、第２の実施形態を示すもので、ランドセルの大マチ部１６の中間部分に上下方向に第３の反射片７０を縫着し、さらに、被い蓋２９の自由端の表面側には第４の反射片７０ａを縫着してある。第３の反射片７０の両端は円弧状に形成してあるが、第４の反射片７０ａの両端は斜状にデザインに応じて形成してある。このように両端の形状は必要に応じて任意に変形してデザイン効果を高めることもできる。この第３、４の反射片７０，７０ａの表面には、反射機能に加えて夜光塗料などを塗布して夜間に光る反射夜光シート７２の裏面に補強芯７５を接着してある。
【００２８】
図７、８において、表面に夜光塗料を塗布して形成した反射夜光シート７３の裏面に補強芯７５を接着した第３及び第４の反射片の表面に、ランドセル所有者の名前や、商品のブランド名などの文字・図形等７３を印刷してあるので、夕暮時や暗闇の中でもランドセルを背負って歩行中の学童の存在を車輌の運転手は確認しやすいという利点がある。
【００２９】
以下、本発明に係る実施形態の作用について説明すると、ランドセル１０の大マチ部１６に略水平方向に取付ける反射片３１は、表面に反射シート３８を接着した芯地３６の凸部３７を表地３２の裏側から窓部３３に嵌合し、該窓部の周縁と、表地の上下端部を縫着補強して形成してある。
【００３０】
この表地３２の上下両端を芯地３６の裏側に折り返すように包みこんで縫着したため反射シート３８が剥がれたり、芯地３６が剥がれたりするのを防止でき、且つ、ランドセル本体１１の締付けバンドとは別に形成するため、製作が簡単でランドセル本体への取付けも容易となる。
【００３１】
この反射シート３８は、少なくとも芯地３６の凸部３７の表面を覆う部分に接着して形成し、締付けバンドのように長く形成する必要が無いので、高価な反射シートの使用量を少なくしてコストを軽減できる。
【００３２】
窓部３３に裏側から係合させる凸部３７ａの表面と表地３２の表面とを略同一平面に形成し、反射シート３８の表面積は横長に大きくして反射効率を良くすることができ、夕方の薄暗い下校時における児童の交通事故を防止して安全性を高めることができる。この窓部３３の内縁と凸部３７との間の段差を無くしたことにより、歩行中、窓部３３に異物が引っ掛って該窓部が切れるのを防止できる。
【００３３】
さらに、表地３２の平坦部４４を利用して給食袋などを吊下げるフック部４５や、名札帯（図示せず）などを取付け可能に形成することができるなど、反射片自体のデザインを変化させることにより、多様なバリエーションの反射片を形成することができる。
【００３４】
図７，８に示す如く、表面に夜光塗料を塗布した反射夜光シート７２の裏面に軽量な合成樹脂製の補強芯７５を接着してなる第３及び第４の反射片７０，７０ａの表面には、ランドセル所有者の名前や商品のブランド名や図形を構成する文字・図形等７３を印刷して反射夜光シート７２を形成することにより、夕暮時や暗闇の中でもランドセルを背負って歩行中の学童の存在を車輌の運転手は確認しやすい利点がある。さらに、反射夜光シート７２の表面に設けた文字・図形等７３が夜間に光ることにより、例えば、すれ違う歩行者は名前やブランド名などが目立って確認できる。そのため、単に店先で商品を陳列するよりも、商品購入者が背中に背負って歩行すること自体が歩く商品宣伝機能を有するため、学童の安全性を維持しながら商品イメージを一段と向上させる機能を併せ持つものである。
【００３５】
【考案の効果】
本考案に係るランドセルは、ランドセル本体の大マチ部に取付けた反射片の反射シートを表地の窓部に裏側から合致させて縫着して設けたことにより、反射シートの脱落を防止できる。また、表地に設けた大きな窓部から反射シートを露出させることにより反射面積が大きくて見やすいので、夕方の薄暗い下校時における児童の交通事故を防止して安全性を高めることができる。さらに、窓部の下方に設けた平坦部にフック部を取付けたり、名札を吊るすことができるので、反射片のバリエーションを多様に変化させることができる。
【００３６】
さらに、反射片を構成する反射夜光シートは反射機能の他に，夜光機能を有しているのでその表面に文字・図形などを印刷することにより、学童の安全性を維持しながら商品イメージを一段と向上させる効果を有している。
【図面の簡単な説明】
【図１】本考案に係るランドセルの被い蓋を開いて一部破断した状態の斜視図である。
【図２】反射片を分離して一部破断した芯地と表地の各正面図である。
【図３】反射片の正面図である。
【図４】反射片の要部拡大断面図である。
【図５】第２の反射片の正面図である。
【図６】第３及び第４の反射片を取り付けたランドセルの斜視図である。
【図７】表面に反射夜光シートを取り付けた第３および第４の反射片の正面図である。
【図８】図７のＢ−Ｂ線拡大断面図である。
【図９】締付けバンドに反射片を取付けた従来のランドセルの一部省略した斜視図である。
【図１０】従来の締付けバンドに反射片を取付けた要部拡大正面図である。
【図１１】図１０のＣ−Ｃ線拡大断面図である。
【符号の説明】
１０　　ランドセル
１１　　ランドセル本体
１２　　収容部
１３　　背板
１４　　底板
１５　　前板
１６　　大マチ部
１８　　背負帯
２０　　第２の収容部
２５　　小物入部
２９　　被い蓋
３１　　反射片
３２　　表地
３３　　窓部
３４　　平坦部
３６　　芯地
３７　　凸部
３８　　反射シート
４１　　第２の反射片
７０　　第３の反射片
７０ａ　第４の反射片
７２　　反射夜光シート
７３　　文字・図形等
７５　　補強芯
【図１】
0003099133.tif 000003
【図２】
0003099133.tif 000004
【図３】
0003099133.tif 000005
【図４】
0003099133.tif 000006
【図５】
0003099133.tif 000007
【図６】
0003099133.tif 000008
【図７】
0003099133.tif 000009
【図８】
0003099133.tif 000010
【図９】
0003099133.tif 000011
【図１０】
0003099133.tif 000012
【図１１】
0003099133.tif 000013